(57)【要約】【課題】たとえ本体に歪みが生じたとしても、枠体と配線覆い用カバーとの位置関係にずれの生じない電気機器収納用箱体を提供する。【解決手段】蝶番１０に、前扉４の軸方向と平行な方向へ延びる軸部１９ａ、１９ｂが設けられている一方、配線覆い用カバー５に、軸部１９ａ、１９ｂを軸支する軸支部３０が設けられており、配線覆い用カバー５が、軸支部３０で軸部１９ａ、１９ｂを軸支させることにより、前扉４と同じ側で上下方向を軸とした片開き可能に取り付けられている。すなわち、配線覆い用カバー５が、蝶番１０、１０を介して枠体３に取り付けられているため、たとえ箱本体２に歪みが生じたとしても、その歪みが配線覆い用カバー５へと伝達しない。したがって、枠体３と配線覆い用カバー５の周縁部との隙間は均一に保たれ、配線覆い用カバー５の片開きに支障が出るようなことはないし、枠体３を取り付けられないといった状況も起こり得ない。【選択図】図１
2018207663.tif 000002
【特許請求の範囲】
【請求項１】
少なくとも前面に開口を有する箱本体と、前記開口に沿って前記箱本体の前面に固定される枠体と、前記開口を開閉する前扉と、前記枠体と前記前扉との間に介在され、前記枠体に対し前記前扉を右側部若しくは左側部を軸として片開き自在に蝶着するための蝶番とが備えられているとともに、前記前扉よりも内側に配線覆い用カバーが取り付けられた電気機器収納用箱体であって、
前記蝶番に、前記前扉の軸方向と平行な方向へ延びる軸部が設けられている一方、前記配線覆い用カバーに、前記軸部を軸支する軸支部が設けられており、
前記配線覆い用カバーが、前記軸支部で前記軸部を軸支させることにより、前記前扉と同じ側で片開き可能に取り付けられていることを特徴とする電気機器収納用箱体。
【請求項２】
前記軸部に、周面が面取りされた面取り部が設けられている一方、
前記軸支部に、前記面取り部の箇所における前記軸部の幅と同じ間隔だけ開かれた開放部を有する上面視Ｃ字状の軸支爪が設けられていることを特徴とする請求項１に記載の電気機器収納用箱体。
【発明の詳細な説明】
【技術分野】
【０００１】
本発明は、たとえば回路遮断器を収納する分電盤等に使用される電気機器収納用箱体に関するものである。
【背景技術】
【０００２】
従来、たとえば回路遮断器を収納する分電盤等に使用される電気機器収納用箱体の内部には、収納される分電盤等から延びる配線を覆うための配線覆い用カバーが取り付けられている（たとえば特許文献１）。そして、この配線覆い用カバーは、電気機器収納用箱体の本体に対し上下方向を軸として片開き自在に蝶着されることも多く、その片開き動作のための蝶番は、本体内に設置される機器取付用のレール等に固定されていた。
【先行技術文献】
【特許文献】
【０００３】
【特許文献１】特開２００２−２３８１１５号公報
【発明の概要】
【発明が解決しようとする課題】
【０００４】
配線覆い用カバーを蝶着した本体の前部に、強度向上を目的として配線覆い用カバーよりも一回り大きな角環状の枠体を取り付けることがある。しかしながら、たとえば本体を設置する壁面の凹凸等によって本体に歪みが生じていると、本体の歪みが配線覆い用カバーの姿勢変化につながってしまう。したがって、枠体を取り付けた際に、枠体と配線覆い用カバーの周縁部との隙間が均一にならず（たとえば配線覆い用カバーの上辺部において、左端部と右端部とで枠体までの隙間が異なってしまう等）、配線覆い用カバーの片開きに支障をきたすことがあった。また、歪みが大きい場合等には、枠体を取り付けられないこともあった。
【０００５】
そこで、本発明は、上記問題に鑑みなされたものであって、たとえ本体に歪みが生じたとしても、枠体と配線覆い用カバーとの位置関係にずれの生じない電気機器収納用箱体を提供しようとするものである。
【課題を解決するための手段】
【０００６】
上記目的を達成するために、本発明のうち請求項１に記載の発明は、少なくとも前面に開口を有する箱本体と、前記開口に沿って前記箱本体の前面に固定される枠体と、前記開口を開閉する前扉と、前記枠体と前記前扉との間に介在され、前記枠体に対し前記前扉を右側部若しくは左側部を軸として片開き自在に蝶着するための蝶番とが備えられているとともに、前記前扉よりも内側に配線覆い用カバーが取り付けられた電気機器収納用箱体であって、前記蝶番に、前記前扉の軸方向と平行な方向へ延びる軸部が設けられている一方、前記配線覆い用カバーに、前記軸部を軸支する軸支部が設けられており、前記配線覆い用カバーが、前記軸支部で前記軸部を軸支させることにより、前記前扉と同じ側で片開き可能に取り付けられていることを特徴とする。
請求項２に記載の発明は、請求項１に記載の発明において、前記軸部に、周面が面取りされた面取り部が設けられている一方、前記軸支部に、前記面取り部の箇所における前記軸部の幅と同じ間隔だけ開かれた開放部を有する上面視Ｃ字状の軸支爪が設けられていることを特徴とする。
【発明の効果】
【０００７】
本発明によれば、蝶番に、前扉の軸方向と平行な方向へ延びる軸部が設けられている一方、配線覆い用カバーに、軸部を軸支する軸支部が設けられており、配線覆い用カバーが、軸支部で軸部を軸支させることにより、前扉と同じ側で片開き可能に取り付けられている。すなわち、配線覆い用カバーは、箱本体ではなく、蝶番を介して枠体に取り付けられているため、たとえ箱本体に歪みが生じたとしても、その歪みが配線覆い用カバーへと伝達しない。したがって、枠体と配線覆い用カバーの周縁部との隙間は均一に保たれ、配線覆い用カバーの片開きに支障が出るようなことはないし、枠体を取り付けられないといった状況も起こり得ない。
また、請求項２に記載の発明によれば、軸部に、周面が面取りされた面取り部が設けられている一方、軸支部に、面取り部の箇所における軸部の幅と同じ間隔だけ開かれた開放部を有する上面視Ｃ字状の軸支爪が設けられているため、軸支部で軸部を軸支させる作業、すなわち配線覆い用カバーの蝶番への取り付けに係る作業の簡易化を図ることができる。
【図面の簡単な説明】
【０００８】
【図１】前扉と配線覆い用カバーとを開いた状態の電気機器収納用箱体を示した斜視説明図である。
【図２】配線覆い用カバーを示した斜視説明図である。
【図３】第２ピン受け部材を示した斜視説明図である。
【図４】規制部材を示した斜視説明図である。
【図５】配線覆い用カバーが取り付けられていない電気機器収納用箱体を示した斜視説明図である。
【図６】配線覆い用カバーを蝶番へ取り付ける様子を示した説明図である。
【発明を実施するための形態】
【０００９】
以下、本発明の一実施形態となる電気機器収納用箱体（以下、収納箱と称す）について、図面にもとづき詳細に説明する。
【００１０】
図１は、前扉４と配線覆い用カバー５とを開いた状態の収納箱１を示した斜視説明図である。図２は、配線覆い用カバー５を示した斜視説明図である。図３は、第２ピン受け部材１２を示した斜視説明図である。図４は、規制部材４０を示した斜視説明図である。図５は、配線覆い用カバー５が取り付けられていない収納箱１を示した斜視説明図である。図６は、配線覆い用カバー５を蝶番１０へ取り付ける様子を示した説明図である。
【００１１】
収納箱１は、前面に開口を有する箱本体２と、当該箱本体２の前面側に取り付けられる枠体３と、箱本体２の前面開口を開閉する前扉４と、前扉４よりも箱本体２内側に取り付けられる配線覆い用カバー５とを備えてなる。箱本体２は、天板、左右両側板、背板、及び底板を有して前面を除く５面（上面、左右両側面、後面、及び下面）が閉塞された箱体であり、その内部空間に、分電盤等の各種電気機器を収納可能となっている。また、枠体３は、上辺部、左右両側辺部、及び下辺部を一連に有して、中央部が正面視矩形な開口となる角環状に成形された部材であって、枠体３の上下高さは箱本体２の上下高さと、枠体３の左右長さは箱本体２の左右長さと夫々略同じとなっている。そして、当該枠体３は、箱本体２の前面開口に沿わせるようにして箱本体２に固定されている。
【００１２】
さらに、前扉４は、正面視が枠体３の開口と略同じ大きさの矩形とされた板体であって、上辺、左右両側辺、及び下辺は夫々後側へ折り曲げられている。そして、当該前扉４は、右側辺の上部及び下部に夫々設けられた蝶番１０、１０を介して枠体３に取り付けられており、枠体３に対し片開き自在となっている。加えて、配線覆い用カバー５は、前扉４よりは小型の矩形板体であって、蝶番１０、１０へ回動自在に取り付けられており、前扉４とは独立して片開き自在とされている。
【００１３】
ここで、本発明の要部となる前扉４及び配線覆い用カバー５の片開き構造について詳述する。
まず前扉４の片開きに係る構造、すなわち蝶番１０について説明すると、蝶番１０は、第１ピン受け部材１１、第２ピン受け部材１２、及びヒンジピン５０とを備えてなる。そして、第１ピン受け部材１１は、上下方向へ延びる円筒状に成形されており（中心に位置する孔は軸孔として機能する）、前扉４の右辺の折り曲げ部内側に設けられている。また、第２ピン受け部材１２は、板状の固定部１４と、固定部１４の左端から前方へ曲げられた上下一対の腕片１５、１５と、各腕片１５の先端から右側へ折り返された折り返し片１６と、各折り返し片１６の先端に設けられたピン受け部１７ａ、１７ｂとを有する。上側の折り返し片１６の先端に設けられたピン受け部１７ａは、上面視円形の基部１８ａと、基部１８ａの上面から上方へ突設された軸部１９ａとを有している。軸部１９ａは、基部１８ａよりも小径な円筒状とされ、基部１８ａと同軸上に配されており、軸部１９ａの先端面から基部１８ａの底面にわたって貫通するようにピン孔２０が穿設されている。一方、下側の折り返し片１６の先端に設けられたピン受け部１７ｂは、上面視円形の基部１８ｂと、基部１８ｂの下面から下方へ突設された軸部１９ｂとを有している。基部１８ｂは、基部１８ａと同軸上に配されており、基部１８ａの底面と基部１８ｂの上面とは、第１ピン受け部材１１の上下長さと同じだけ離されている。また、軸部１９ｂは、基部１８ｂよりも小径な円筒状とされ、基部１８ｂと同軸上、すなわち基部１８ａや軸部１９ａと同軸上に配されており、軸部１９ｂの先端面から基部１８ｂの上面にわたって貫通するようにピン孔２０が穿設されている。
【００１４】
そして、蝶番１０を組み立てて前扉４を片開き自在に取り付けるにあたっては、第２ピン受け部材１２の固定部１４を、枠体３の前面における所定位置にネジ止めして固定する。そして、枠体３に固定された第２ピン受け部材１２、１２に対し、前扉４の右側の折り曲げ部を折り返し片１６、１６と固定部１４、１４との間で差し込みつつ、各第１ピン受け部材１１を各第２ピン受け部材１２の基部１８ａ、１８ｂ間に位置させる。各第２ピン受け部材１２の軸部１９ａ側から、基部１８ａ側のピン孔２０、第１ピン受け部材１１の軸孔、及び基部１９ｂ側のピン孔２０までヒンジピン５０を挿通させればよい。すると、図５に示すように、前扉４が、蝶番１０、１０を介して枠体３に取り付けられ、ヒンジピン５０を軸として片開き可能となる。
【００１５】
次に、配線覆い用カバー５の片開きに係る構造について説明すると、配線覆い用カバー５は蝶番１０、１０の軸部１９ａ、１９ｂを軸支する格好で取り付けられる。つまり、配線覆い用カバー５の右側端部に、軸部１９ａ、１９ｂを軸支するための軸支部３０、３０が、蝶番１０、１０に対応した距離だけ上下に離されて設けられている。各軸支部３０は、上下に所定の間隔だけ隔てて設けられた一組の腕片３１、３１と、各腕片３１の先端に設けられた軸支爪３２とを有する。各腕片３１は、配線覆い用カバー５の表面から前方へ突出しているとともに先端側が右側（外側）へ折り曲げられた上面視Ｌ字状に成形されている。また、各軸支爪３２は、帯状の金属板を上面視Ｃ字状に湾曲してなり、端部同士が離隔している開放部を右側（外側）へ向けた姿勢で腕片３１の先端に固着されている。一方、軸部１９ａの先端側には、上下方向へ所定幅にわたって周面を面取りした一対の面取り部２１ａ、２１ａが、軸部１９ａの中心を挟んで対向するように設けられている。そして、面取り部２１ａ、２１ａの箇所における軸部１９ａの幅は、軸支爪３２の開放部における端部同士の間隔と同じとなっている。また、軸部１９ｂの周面で、軸部１８ａの面取り部２１ａ、２１ａと同位相となる箇所は、その先端から基端にかけて全て面取りされており（面取り部２１ｂ、２１ｂが設けられており）、軸部１９ｂの幅も、軸支爪３２の開放部における端部同士の間隔と同じとなっている。なお、軸部１９ａにおける面取り部２１ａ、２１ａの下端よりも下側には、面取りが施されていない円周面部２３が残されている。
【００１６】
そして、配線覆い用カバー５を片開き自在に取り付けるにあたっては、各軸支部３０における上側の軸支爪３２の開放部と軸部１９ａの面取り部２１ａ、２１ａとの位置を合わせて（図６）、軸支爪３２内へ軸部１９ａを嵌入させる。このとき下側の軸支爪３２についても、その内側へ軸部１９ｂを嵌入させる。そして、当該状態のまま配線覆い用カバー５を下方へ移動させ、上側の軸支爪３２を軸部１９ａの基端の周囲に露出する基部１８ａ上に載置すればよい（すなわち、軸部１９ａの基端の周囲に露出する基部１８ａの上面が、軸支爪３２を下方から支持する支持段部２２として機能する）。すると、配線覆い用カバー５は、上下の軸支爪３２、３２に軸部１９ａ、１９ｂが夫々嵌入した状態のまま蝶番１０、１０に取り付けられることになり、軸部１９ａ、１９ｂを軸として片開き可能となる。なお、基部１８ａ上に載置されている軸支爪３２内には面取り部２１ａ、２１ａ箇所よりも幅のある円周面部２３が嵌入しているため、軸支爪３２から軸部１９ａが抜け落ちないようになっている。また、配線覆い用カバー５を取り外したい場合には、軸支爪３２内に面取り部２１ａ、２１ａの箇所が位置するまで配線覆い用カバー５を持ち上げ、軸支爪３２の開放部と面取り部２１ａ、２１ａとの位相をあわせて、軸支爪３２内から軸部１９ａを抜き取ればよい。
【００１７】
ただ、配線覆い用カバー５が不用意に上方へ移動し、配線覆い用カバー５が蝶番１０、１０から脱落してしまう事態も考えられる。そこで、図４に示すような規制部材４０を取り付ける。規制部材４０は、軸支爪３２と同様に軸部１９ｂが嵌入可能なＣ字状に成形された本体４１と、本体４１から延びる摘み４２とを備えてなる。そして、当該規制部材４０は、配線覆い用カバー５を蝶番１０、１０に取り付けた後、図１に示すように各軸支部３０において下側の軸支爪３２と軸部１９ｂとの間に本体４１を差し込めばよい。すると、規制部材４０によって配線覆い用カバー５の上方への移動が規制され、配線覆い用カバー５の不用意な脱落が防止される。
【００１８】
以上のような構成を有する収納箱１によれば、蝶番１０に、前扉４の軸方向と平行な方向へ延びる軸部１９ａ、１９ｂが設けられている一方、配線覆い用カバー５に、軸部１９ａ、１９ｂを軸支する軸支部３０が設けられており、配線覆い用カバー５が、軸支部３０で軸部１９ａ、１９ｂを軸支させることにより、前扉４と同じ側で上下方向を軸とした片開き可能に取り付けられている。すなわち、配線覆い用カバー５は、箱本体２ではなく、蝶番１０、１０を介して枠体３に取り付けられているため、たとえ箱本体２に歪みが生じたとしても、その歪みが配線覆い用カバー５へと伝達しない。したがって、枠体３と配線覆い用カバー５の周縁部との隙間は均一に保たれ、配線覆い用カバー５の片開きに支障が出るようなことはないし、枠体３を取り付けられないといった状況も起こり得ない。
【００１９】
また、軸部１９ａ、１９ｂに、周面が面取りされた面取り部２１ａ、２１ｂが設けられている一方、軸支部３０に、面取り部２１ａ、２１ｂの箇所における軸部１９ａ、１９ｂの幅と同じ間隔だけ開かれた開放部を有する上面視Ｃ字状の軸支爪３２、３２が設けられているため、軸支部３０で軸部１９ａを軸支させる作業、すなわち配線覆い用カバー５の蝶番１０、１０への取り付けに係る作業の簡易化を図ることができる。
【００２０】
なお、本発明の収納箱に係る構成は、上記実施形態に記載の態様に何ら限定されるものではなく、箱本体、前扉、蝶番、及び配線覆い用カバーに係る構成を、本発明の趣旨を逸脱しない範囲で、必要に応じて適宜変更することができる。
【００２１】
たとえば、上記実施形態では、前扉及び配線覆い用カバーの右側部を軸として片開き自在としているが、言うまでもなく左側部を軸として片開き自在としても何ら問題はない。
また、上記実施形態では、前扉の軸と配線覆い用カバーの軸とが同軸となるように蝶番に軸部を設けているが、前扉の軸と配線覆い用カバーの軸とが平行ではあるものの同軸としない（たとえば基部の偏心位置に軸部を設ける等）ように構成することも可能である。
さらに、上記実施形態では、軸部に面取り部を、軸支部に軸支爪を夫々設けるとしているが、たとえば軸部に面取り部を設けないとした上で、腕片の先端に軸孔を設け、軸孔内への軸部の挿通により軸支させるといった他の構成を採用することも可能であるし、軸支部を上下方向へスライド可能に設け、軸支部で軸部を軸支させるにあたり軸支部をスライド操作するように構成することも可能である。
【符号の説明】
【００２２】
１・・収納箱（電気機器収納用箱体）、２・・箱本体、３・・枠体、４・・前扉、５・・配線覆い用カバー、１０・・蝶番、１１・・第１ピン受け部材、１２・・第２ピン受け部材、１９ａ、１９ｂ・・軸部、２１ａ、２１ｂ・・面取り部、３０・・軸支部、３１・・腕片、３２・・軸支爪、４０・・規制部材、５０・・ヒンジピン。
【図１】
2018207663.tif 000003
【図２】
2018207663.tif 000004
【図３】
2018207663.tif 000005
【図４】
2018207663.tif 000006
【図５】
2018207663.tif 000007
【図６】
2018207663.tif 000008